(57)【要約】【課題】音又は振動に基づいて登録モードに移行したか否かを視覚によらずに認識可能な開閉装置用通信機を提供する。【解決手段】開閉体駆動部を制御する駆動制御部を遠隔操作するための遠隔装置の識別情報を登録する登録モードであって、複数の異なる種類の中の何れかの種類の登録を行う登録モードへ移行する移行操作を受け付ける受付部と、前記受付部が前記移行操作を受け付けた場合に、前記移行操作から定まる種類の登録を行う前記登録モードへ移行したことを、登録の種類に応じて異なる態様の音又は振動によって報知する報知部と、を備える。【選択図】図４
2019201279.tif 000002
【特許請求の範囲】
【請求項１】
開閉体駆動部を制御する駆動制御部を遠隔操作するための遠隔装置の識別情報を登録する登録モードであって、複数の異なる種類の中の何れかの種類の登録を行う登録モードへ移行する移行操作を受け付ける受付部と、
前記受付部が前記移行操作を受け付けた場合に、前記移行操作から定まる種類の登録を行う前記登録モードへ移行したことを、登録の種類に応じて異なる態様の音又は振動によって報知する報知部と、
を備える開閉装置用通信機。
【請求項２】
前記受付部は、前記登録モードを終了させる終了操作を受け付け、
前記報知部は、前記受付部が前記終了操作を受け付けた場合に、前記終了操作から定まる種類の登録を行う前記登録モードが終了したことを、前記登録の種類に応じて異なり、かつ前記登録モードへ移行する際の態様と異なる態様の音又は振動によって報知する請求項１に記載の開閉装置用通信機。
【請求項３】
前記登録の種類は、前記遠隔装置を新規に登録する新規登録と、前記遠隔装置を追加で登録する追加登録とを含む請求項１又は２に記載の開閉装置用通信機。
【請求項４】
前記報知部は、更に、報知する音又は振動に応じた態様でランプの点滅を行う請求項１から請求項３の何れか１項に記載の開閉装置用通信機。
【請求項５】
開閉体を収納する収納部と、
前記遠隔装置との通信を行う請求項１から請求項４の何れか１項に記載の開閉装置用通信機と、
を備える開閉装置。
【請求項６】
前記開閉装置用通信機は、前記収納部に収納されている請求項５に記載の開閉装置。
【発明の詳細な説明】
【技術分野】
【０００１】
本発明は、開閉装置用通信機及び開閉装置に関する。
【背景技術】
【０００２】
従来、リモコン送信機による信号に基づいて開閉体の開閉が行われる開閉装置が提供されている（例：特許文献１）。この場合には、開閉装置における開閉体の収納部に配置されたリモコン受信機がリモコン送信機からの電波を受信することで、開閉体の開閉が行われる。
【０００３】
ここで、リモコン送信機による信号に基づいて開閉体の開閉を行うためには、リモコン送信機の識別情報をリモコン受信機に登録する必要がある。そして、リモコン受信機では、登録されたリモコン送信機以外の信号は受け付けないこととされている。
【０００４】
リモコン受信機をリモコン送信機の識別情報を登録する登録モードへ移行させるためには、リモコン受信機に設けられた登録スイッチの操作が必要とされている。リモコン受信機の中には、登録スイッチが操作されて登録モードに移行したことをＬＥＤの点灯態様により報知するものも存在する。
【先行技術文献】
【特許文献】
【０００５】
【特許文献１】特開２００１−３０９４５３号公報
【発明の概要】
【発明が解決しようとする課題】
【０００６】
リモコン受信機は、悪戯等を防止すべく、開閉体の収納部における端部側であって、外部から容易に視認できない位置に配置されていることが多い。これにより、従来では、リモコン受信機が外部から容易に視認できないため、リモコン受信機のＬＥＤの点灯を確認できず、リモコン受信機が登録モードに移行したか否かを認識することが困難であった。
【０００７】
そこで、本発明は、音又は振動に基づいて登録モードに移行したか否かを視覚によらずに認識可能な開閉装置用通信機を提供することを目的とする。
【課題を解決するための手段】
【０００８】
上記課題を解決するために、本発明は、以下のような構成を備える。
（第１の発明）
第１の発明に係る開閉装置用通信機は、開閉体駆動部を制御する駆動制御部を遠隔操作するための遠隔装置の識別情報を登録する登録モードであって、複数の異なる種類の中の何れかの種類の登録を行う登録モードへ移行する移行操作を受け付ける受付部と、前記受付部が前記移行操作を受け付けた場合に、前記移行操作から定まる種類の登録を行う前記登録モードへ移行したことを、登録の種類に応じて異なる態様の音又は振動によって報知する報知部と、を備える。
【０００９】
（第２の発明）
第２の発明に係る開閉装置用通信機は、請求項１に記載の開閉装置用通信機であって、前記受付部は、前記登録モードを終了させる終了操作を受け付け、前記報知部は、前記受付部が前記終了操作を受け付けた場合に、前記終了操作から定まる種類の登録を行う前記登録モードが終了したことを、前記登録の種類に応じて異なり、かつ前記登録モードへ移行する際の態様と異なる態様の音又は振動によって報知する。
【００１０】
（第３の発明）
第３の発明に係る開閉装置用通信機は、請求項１又は２に記載の開閉装置用通信機であって、前記登録の種類は、前記遠隔装置を新規に登録する新規登録と、前記遠隔装置を追加で登録する追加登録とを含む。
【００１１】
（第４の発明）
第４の発明に係る開閉装置用通信機は、請求項１から請求項３の何れか１項に記載の開閉装置用通信機であって、前記報知部は、更に、報知する音又は振動に応じた態様でランプの点滅を行う。
【００１２】
（第５の発明）
第５の発明に係る開閉装置は、開閉体を収納する収納部と、前記遠隔装置との通信を行う請求項１から請求項４の何れか１項に記載の開閉装置用通信機と、を備える。
【００１３】
（第６の発明）
第６の発明に係る開閉装置は、請求項５に記載の開閉装置であって、前記開閉装置用通信機は、前記収納部に収納されている。
【発明の効果】
【００１４】
本発明によれば、音又は振動に基づいて登録モードに移行したか否かを視覚によらずに認識可能な開閉装置用通信機を提供することができる。
【図面の簡単な説明】
【００１５】
【図１】本実施の形態における開閉装置を示す正面図である。
【図２】本実施の形態における開閉装置用通信機を示す斜視図である。
【図３】本実施の形態における開閉装置用通信機と遠隔装置との関係を示す概念図である。
【図４】本実施の形態における報知態様を説明する説明図である。
【発明を実施するための形態】
【００１６】
（構成）
以下、本実施の形態を図面に従って説明する。なお、本実施の形態では、図１に示す開閉装置１０を基準として、開閉装置１０の幅方向（左右方向）及び開閉装置１０の開閉方向（上下方向）を用いて説明する。
図１は、本実施の形態における開閉装置１０を示す正面図である。図１に示すように、本実施の形態における開閉装置１０は、住宅等の建物１２に設けられている。
【００１７】
開閉装置１０は、開閉体２０と、ガイドレール２４と、収納部２６と、巻取装置３０と、を備えている。
【００１８】
開閉体２０は、幅方向を長手、開閉方向を短手とした略矩形状の金属板を曲げ加工してなるスラット２２が複数連結されることにより構成されている。そして、開閉体２０は、巻取装置３０の駆動により収納部２６に対して開閉方向へ開閉可能となっている。
【００１９】
ガイドレール２４は、開閉体２０の幅方向両端部を囲む断面略コ字状（図示せず）の部材である。そして、このガイドレール２４は、開閉体２０の幅方向両端部を囲んで開閉体２０を支持することにより、開閉体２０の開閉方向への開閉をガイドしている。
【００２０】
収納部２６は、その下端側に開閉体２０を出没させるための開口（図示せず）が形成された略箱状の部材である。この収納部２６は、ガイドレール２４の上端部を幅方向に繋ぐように設けられている。そして、この収納部２６には、巻取装置３０の駆動により巻き取られた開閉体２０が収納される。
【００２１】
巻取装置３０は、収納部２６に収納されており、開閉体２０の巻き取り及び繰り出しを行うものである。この巻取装置３０は、幅方向に沿って延びる軸部３２と、軸部３２をチェーン及びスプロケット等の動力伝達手段３４を介して回転及び制動させる開閉機４０と、開閉体駆動部としての後述する電動モータ（図示せず）を制御する駆動制御部としての動作制御手段５０と、を備えている。
【００２２】
開閉機４０は、少なくとも、軸部３２を回転させるための電動モータ（図示せず）と、軸部３２の回転を制動するブレーキ機構（図示せず）と、電動モータ（図示せず）を制御する動作制御手段５０を遠隔操作するための遠隔装置１００との通信を行う開閉装置用通信機６０と、を備えている。この開閉装置用通信機６０は、図１に示すように、開閉機４０に収納されている。なお、遠隔装置１００としては、例えば、リモコン送信機やスマートフォン等が挙げられる。
【００２３】
図２は、本実施の形態における開閉装置用通信機６０を示す斜視図である。
開閉装置用通信機６０は、図２に示すように、略直方体状の本体部６２を備えており、この本体部６２に種々の部材が搭載されている。なお、以下では、開閉装置用通信機６０について説明する場合において、図２に示す状態における後述する登録スイッチ６８が設けられている本体部６２の面を「正面６４」と称し、図２に示す状態における後述する音声出力装置用孔７８が形成されている本体部６２の面を「上面６６」と称する。
【００２４】
正面６４には、受付部としての登録スイッチ６８と、ランプとしての動作ランプ７０と、送受信ランプ７２と、アンテナ用孔７４とが設けられている。
【００２５】
登録スイッチ６８は、正面６４から外側に突出した凸形状を呈している。そして、この登録スイッチ６８は、登録モードへ移行する「移行操作」と、登録モードを終了させる「終了操作」とを受け付ける。なお、「登録モード」とは、遠隔装置１００の識別情報を登録するモードであって、複数の異なる種類の中の何れかの種類の登録を行う開閉装置用通信機６０のモードである。具体的には、登録スイッチ６８の操作態様に対応する操作信号が後述する制御部８２（図３参照）に入力され、制御部８２により操作信号に対応する登録の種類が設定される。
【００２６】
動作ランプ７０は、後述する制御部８２（図３参照）により設定された登録の種類に対応する発光態様で点滅するフルカラーＬＥＤである。本実施の形態では、この動作ランプ７０は黄色の発光態様で点滅する。
【００２７】
送受信ランプ７２は、遠隔装置１００から信号を受信した場合、又は外部へ信号を送信する場合に点灯するフルカラーＬＥＤである。本実施の形態では、この送受信ランプ７２は、信号の受信時に赤色の発光態様で点灯し、信号の送信時に緑色の発光態様で点灯する。
【００２８】
アンテナ用孔７４は、正面６４に形成された開口部分である。そして、開閉装置用通信機６０はアンテナ７６を備えており、このアンテナ用孔７４からアンテナ７６が露出可能とされている。
【００２９】
上面６６には、音声出力装置用孔７８が形成されている。そして、この音声出力装置用孔７８を通じて、後述する音声出力装置８４の鳴動が外部へ報知可能となっている。
【００３０】
図３は、本実施の形態における開閉装置用通信機６０と遠隔装置１００との関係を示す概念図である。
図３に示すように、開閉装置用通信機６０は、後述する通信部８０を通じて、遠隔装置１００との通信を行うことが可能となっている。そして、開閉装置用通信機６０は、上記の登録スイッチ６８、動作ランプ７０、及び送受信ランプ７２に加えて、通信部８０と、制御部８２と、報知部としての音声出力装置８４と、を備えている。
【００３１】
通信部８０は、小電力無線局として機能する無線モジュールの無線通信装置を備えている。そして、通信部８０は、遠隔装置１００からの信号の受信、受信した信号の制御部８２への転送、及び制御部８２が生成した信号の外部への送信を行う。なお、無線モジュールとしては、無線ＬＡＮ（Ｗｉ−Ｆｉ）モジュールや、ブルートゥース(登録商標)通信モジュールや、特定小電力無線モジュール等が挙げられる。
【００３２】
制御部８２は、一例として、マイコンや記憶装置、リレー回路等からなる電気回路であり、予め記憶したプログラムにより動作するものである。本実施の形態では、この制御部８２は、通信部８０からの信号に基づき送受信ランプ７２の点灯を制御する。
【００３３】
また、制御部８２は登録の種類に応じて、動作ランプ７０の点灯を制御したり、音声出力装置８４の鳴動を制御したりする。本実施の形態では、登録の種類として、遠隔装置１００を新規に登録する、具体的には、初めて開閉装置１０を使用する際に１台目の遠隔装置１００の識別情報を登録する「新規登録」と、遠隔装置１００を追加で登録する、具体的には、２台目以降の遠隔装置１００の識別情報を登録する「追加登録」とが設けられている。そして、「新規登録」の中には、登録モードに移行した際に設定される「新規登録移行状態」及び、登録モードを終了する際に設定される「新規登録終了状態」があり、「追加登録」の中には、登録モードに移行した際に設定される「追加登録移行状態」及び、登録モードを終了する際に設定される「追加登録終了状態」がある。
【００３４】
制御部８２には、登録スイッチ６８の操作態様に基づいて出力された複数の操作信号が入力される。制御部８２は、当該入力された操作信号に対応する登録の種類を設定する。そして、制御部８２は、設定中の登録の種類に対応する動作を行わせる動作信号を、動作ランプ７０及び音声出力装置８４に出力する。この詳細については後述する。
【００３５】
音声出力装置８４は、制御部８２により設定された登録の種類に対応する鳴動態様で鳴動するブザーである。本実施の形態では、この音声出力装置８４は、長音（例：１秒）と、短音（例：０．５秒）との２種類の音声が出力可能となっている。
【００３６】
そして、音声出力装置８４は、登録スイッチ６８が上記の操作態様として移行操作を受け付けた場合に、移行操作から定まる種類の登録を行う登録モードへ移行したことを、登録の種類に応じて異なる鳴動態様によって報知する。また、音声出力装置８４は、登録スイッチ６８が上記の操作態様として終了操作を受け付けた場合に、終了操作から定まる種類の登録を行う登録モードが終了したことを、登録の種類に応じて異なり、かつ登録モードへ移行する際の態様と異なる鳴動態様によって報知する。これらの詳細については後述する。
【００３７】
以上のように構成された開閉装置用通信機６０は、開閉機４０に収納された場合において、収納部２６の幅方向の端部付近（右端付近）に配置されている（図１参照）。このとき、正面６４は、収納部２６の右端側を向いて配置されている。そして、本実施の形態では、開閉機４０に収納された際の開閉装置用通信機６０が高所に配置されるため、作業者が開閉装置用通信機６０を外部から容易に視認できなくなっている。
【００３８】
（本実施の形態における報知態様）
以下、図４を用いて、本実施の形態における報知態様について説明する。
図４は、本実施の形態における報知態様を説明する説明図である。
【００３９】
本実施の形態では、上記の登録の種類に対応する操作態様が４つ設けられている。具体的には、新規登録移行状態に対応する「新規登録移行操作」と、新規登録終了状態に対応する「新規登録終了操作」と、追加登録移行状態に対応する「追加登録移行操作」と、追加登録終了状態に対応する「追加登録終了操作」とがある。
【００４０】
そして、本実施の形態における上記の各操作態様は以下の通りである。
新規登録移行操作とは、登録スイッチ６８を３秒間以上押し続ける操作である。また、新規登録終了操作とは、新規登録移行状態において登録スイッチ６８を１回押す操作である。
【００４１】
追加登録移行操作とは、登録スイッチ６８を３回連続で押す操作である。また、追加登録終了操作とは、追加登録移行状態において登録スイッチ６８を１回押す操作である。
【００４２】
作業者により登録スイッチ６８が新規登録移行操作で操作されると、新規登録移行操作に対応する第１操作信号が制御部８２に入力される。その後、制御部８２は、当該入力された第１操作信号に対応する登録の種類として「新規登録移行状態」を設定し、新規登録移行状態に対応する動作を行わせる第１動作信号を、動作ランプ７０及び音声出力装置８４に出力する。そして、第１動作信号が入力された音声出力装置８４は、登録モードへ移行したことを、新規登録移行状態に応じた鳴動態様として、長音→短音→短音の順に鳴動する。また、第１動作信号が入力された動作ランプ７０は、登録モードへ移行したことを音声出力装置８４により報知する音に応じた態様として、黄色の発光態様で点滅する。
【００４３】
そして、新規登録移行状態において、作業者により登録スイッチ６８が１回押されると（作業者により登録スイッチ６８が新規登録終了操作で操作されると）、新規登録終了操作に対応する第２操作信号が制御部８２に入力される。その後、制御部８２は、当該入力された第２操作信号に対応する登録の種類として「新規登録終了状態」を設定し、新規登録終了状態に対応する動作を行わせる第２動作信号を、動作ランプ７０及び音声出力装置８４に出力する。そして、第２動作信号が入力された音声出力装置８４は、登録モードが終了したことを、新規登録終了状態に応じた鳴動態様として、短音→短音→長音の順に鳴動する。また、第２動作信号が入力された動作ランプ７０は、登録モードが終了したことを音声出力装置８４により報知する音に応じた態様として、消灯する。
【００４４】
作業者により登録スイッチ６８が追加登録移行操作で操作されると、追加登録移行操作に対応する第３操作信号が制御部８２に入力される。その後、制御部８２は、当該入力された第３操作信号に対応する登録の種類として「追加登録移行状態」を設定し、追加登録移行状態に対応する動作を行わせる第３動作信号を、動作ランプ７０及び音声出力装置８４に出力する。そして、第３動作信号が入力された音声出力装置８４は、登録モードへ移行したことを、追加登録移行状態に応じた鳴動態様として、長音→短音の順に鳴動する。また、第３動作信号が入力された動作ランプ７０は、登録モードへ移行したことを音声出力装置８４により報知する音に応じた態様として、黄色の発光態様で点滅する。
【００４５】
そして、追加登録移行状態において、作業者により登録スイッチ６８が１回押されると（作業者により登録スイッチ６８が追加登録終了操作で操作されると）、追加登録終了操作に対応する第４操作信号が制御部８２に入力される。その後、制御部８２は、当該入力された第４操作信号に対応する登録の種類として「追加登録終了状態」を設定し、追加登録終了状態に対応する動作を行わせる第４動作信号を、動作ランプ７０及び音声出力装置８４に出力する。そして、第４動作信号が入力された音声出力装置８４は、登録モードが終了したことを、追加登録終了状態に応じた鳴動態様として、短音→長音の順に鳴動する。また、第４動作信号が入力された動作ランプ７０は、登録モードが終了したことを音声出力装置８４により報知する音に応じた態様として、消灯する。
【００４６】
（作用効果）
本実施の形態における開閉装置用通信機６０は、上記の登録スイッチ６８と、音声出力装置８４と、を備えている。そして、この開閉装置用通信機６０は、開閉機４０に収納された際には高所に配置されており、作業者が開閉装置用通信機６０を外部から容易に視認できなくなっている。
【００４７】
しかし、本実施の形態によれば、登録の種類に対応して音声出力装置８４が鳴動するため、鳴動態様に基づいて登録モードに移行したか否かを視覚によらずに作業者に認識させることができる。
【００４８】
また、本実施の形態では、音声出力装置８４により、登録モードが終了したことを、登録の種類に応じて異なり、かつ登録モードへ移行する際の態様と異なる鳴動態様によって報知される。そのため、本実施の形態によれば、手探りで登録スイッチ６８を操作しても、音声出力装置８４による鳴動態様に基づいて、登録モードが終了したか否かを視覚によらずに作業者に認識させることができる。
【００４９】
また、本実施の形態では、登録の種類として、新規登録と追加登録とが含まれている。そして、本実施の形態では、音声出力装置８４により、登録の種類に応じて異なる鳴動態様が報知される。そのため、本実施の形態によれば、手探りで登録スイッチ６８を操作しても、音声出力装置８４による鳴動態様に基づいて、新規登録又は追加登録に移行したか否か、又は新規登録又は追加登録が終了したか否かを作業者に認識させることができる。
【００５０】
以上のように、上記の開閉装置用通信機６０を備える開閉装置１０によれば、外部から登録スイッチ６８を操作可能であれば開閉装置用通信機６０を配置する位置は問われないため、開閉装置１０における開閉装置用通信機６０の配置の自由度を向上させることができる。また、上記の開閉装置用通信機６０を外部から容易に視認できる位置に配置した場合には、音声出力装置８４により報知される音に応じた態様で動作ランプ７０が点滅するため、より容易に登録モードへの移行、又は登録モードの終了の事実を作業者に認識させることができる。
【００５１】
（その他）
本実施の形態では、音声出力装置８４は、音の長さの組合せを変えることにより、新規登録移行操作に対応する鳴動態様と、追加登録移行操作に対応する鳴動態様とを異なる態様で報知することとした。また、本実施の形態では、音声出力装置８４は、音の長さの組合せを変えることにより、新規登録終了操作又は追加登録終了操作に対応する鳴動態様を、新規登録移行操作及び追加登録移行操作に対応する鳴動態様と異なる態様で報知することとした。
【００５２】
しかし、音の長さの組合せを変えることに限らず、音声出力装置８４は、例えば、音の高さを変えることにより、新規登録移行操作に対応する鳴動態様と、追加登録移行操作に対応する鳴動態様とを異なる態様で報知し、新規登録終了操作又は追加登録終了操作に対応する鳴動態様を、新規登録移行操作及び追加登録移行操作に対応する鳴動態様と異なる態様で報知してもよい。
【００５３】
また、報知部として、音声出力装置８４に代えて又は加えて、作業者の登録スイッチ６８の操作態様に対応する振動態様で振動する振動手段を設けてもよい。
【００５４】
さらに、音声出力装置８４は、ブザーに限らず、スピーカーとしてもよい。音声出力装置８４をスピーカーとした場合には、鳴動態様として人間の声等を報知してもよい。
【００５５】
本実施の形態では、開閉装置用通信機６０が開閉機４０に収納されているが、これに限らず、収納部２６内のうち、開閉機４０の外部に開閉装置用通信機６０を配置してもよい。
【００５６】
本実施の形態では、音声出力装置用孔７８を上面６６に形成したが、これに限らず、登録スイッチ６８、動作ランプ７０、送受信ランプ７２、及びアンテナ用孔７４が設けられた正面６４に音声出力装置用孔７８を形成してもよい。
【００５７】
本実施の形態では、動作ランプ７０の発光態様を「黄色」としたが、これに限らず、他の色で発光させてもよい。
本実施の形態では、送受信ランプ７２の発光態様を「赤色」又は「緑色」としたが、これに限らず、他の色で発光させてもよい。
【００５８】
本実施の形態では、新規登録移行操作が「登録スイッチ６８を３秒間以上押し続ける操作」であるとしたが、これに限らず、他の操作態様であってもよい。
本実施の形態では、追加登録移行操作が「登録スイッチ６８を３回連続で押す操作」であるとしたが、これに限らず、他の操作態様であってもよい。
本実施の形態では、新規登録終了操作及び追加登録終了操作が「登録スイッチ６８を１回押す操作」であるとしたが、これに限らず、他の操作態様であってもよい。
【符号の説明】
【００５９】
１０  開閉装置                              １２  建物
２０  開閉体                                ２２  スラット
２４  ガイドレール                          ２６  収納部
３０  巻取装置                              ３２  軸部
３４  動力伝達手段
４０  開閉機                                ５０  動作制御手段
６０  開閉装置用通信機                      ６２  本体部
６４  正面                                  ６６  上面
６８  登録スイッチ                          ７０  動作ランプ
７２  送受信ランプ                          ７４  アンテナ用孔
７６  アンテナ                              ７８  音声出力装置用孔
８０  通信部                                ８２  制御部
８４  音声出力装置
【図１】
2019201279.tif 000003
【図２】
2019201279.tif 000004
【図３】
2019201279.tif 000005
【図４】
2019201279.tif 000006